(57)【要約】【課題】  部品点数や取付の手間を削減すると共に、ラジエータコアサポート部材を高剛性且つ軽量し得るようにする。【解決手段】  ラジエータコアサポート部材１５の側部にランプ支持部１８を一体形成し、ランプ支持部１８を、下面が開口し上面２０側へ向けて凸形状となる凸形状部２１とすると共に、凸形状部２１の下面の開口に、上端が開口された容器状物２４を溶着するようにしている。【選択図】        図１
2005297874.tif 000002
【特許請求の範囲】
【請求項１】
ラジエータコアサポート部材の側部にランプ支持部を一体形成し、
該ランプ支持部を、下面が開口し上面側へ向けて凸形状となる凸形状部とすると共に、
該凸形状部の下面の開口に、上端が開口された容器状物を溶着したことを特徴とする自動車のフロントエンド構造。
【請求項２】
前記凸形状部の内側に、リブを設けたことを特徴とする請求項１記載の自動車のフロントエンド構造。
【請求項３】
前記凸形状部の上面とラジエータコアサポート部材の上面との間に、両者間を連通するダクト部を一体形成したことを特徴とする請求項１または２記載の自動車のフロントエンド構造。
【発明の詳細な説明】
【技術分野】
【０００１】
この発明は、自動車のフロントエンド構造に関するものである。
【背景技術】
【０００２】
自動車などの車両には、例えば、エンジンルームの部分にウインドウォッシャー液を貯留するためのウォッシャータンクなどが設けられている（例えば、特許文献１参照）。
【０００３】
従来、図８に示すように、車両前部に設けられるラジエータコアサポート部材１の側部に、ヘッドランプ２の下部やフェンダーをボルト３などで固定するためのランプ支持部４を一体形成し、このランプ支持部４の下部にウォッシャータンク５を配設すると共に、このウォッシャータンク５をボルトやナットを用いて周辺の車体パネルに取付けるようにしたものがある。そして、ウォッシャータンク５と注水口との間には、インレット９と呼ばれるダクトを接続している。このインレット９は、ボルト１０やナットなどを用いてラジエータコアサポート部材１などに取付けられる。なお、通常、ラジエータコアサポート部材１は、最も簡便な前後方向の型抜きによって製造されているため、ラジエータコアサポート部材１とランプ支持部４とは共に前後方向に開いた形状となっている。
【特許文献１】特開平８−３５４２６号公報
【発明の開示】
【発明が解決しようとする課題】
【０００４】
しかしながら、上記自動車のフロントエンド構造では、ウォッシャータンク５をボルトやナットを用いて車体パネルに取付けるようにしていたため、部品点数が多くなると共に取付けに手間や時間がかかるという問題があった。また、インレット９をボルト１０やナットを用いてラジエータコアサポート部材１に取付けるようにしていたため、部品点数が多くなる共に取付けに手間や時間がかかるという問題があった。しかも、インレット９を配設するのにエンジンルーム内に余分なスペースを確保しなければならないという問題があった。一方で、ラジエータコアサポート部材１を高剛性且つ軽量にしたいという要請があり、そのためには、ラジエータコアサポート部材１の随所に閉断面空間が必要となるので、スペース効率が悪いという問題があった。
【課題を解決するための手段】
【０００５】
上記課題を解決するために、本発明では、ラジエータコアサポート部材の側部にランプ支持部を一体形成し、該ランプ支持部を、下面が開口し上面側へ向けて凸形状となる凸形状部とすると共に、凸形状部の下面の開口に、上端が開口された容器状物を溶着した自動車のフロントエンド構造を特徴としている。
【発明の効果】
【０００６】
この発明によれば、ラジエータコアサポート部材の側部にランプ支持部を一体形成し、該ランプ支持部を、下面が開口し上面側へ向けて凸形状となる凸形状部とすると共に、凸形状部の下面の開口に、上端が開口された容器状物を溶着したことにより、容器状物をウォッシャータンクや、エンジンの吸気騒音を低減するレゾネーターとして利用することが可能となる。その結果、別部品でウォッシャータンクやレゾネーターを用意する必要をなくすことができると共に、これらの取付けの手間や時間などを削減することが可能となる。
【発明を実施するための最良の形態】
【０００７】
部品点数や取付の手間を削減すると共に、ラジエータコアサポート部材を高剛性且つ軽量し得るようにするという目的を、ラジエータコアサポート部材の側部にランプ支持部を一体形成し、ランプ支持部を、下面が開口し上面側へ向けて凸形状となる凸形状部とすると共に、凸形状部の下面の開口に、上端が開口された容器状物を溶着する、という手段で実現した。
【実施例】
【０００８】
以下、本発明を具体化した実施例について、図示例と共に説明する。
【０００９】
図１〜図７は、この発明の実施例を示すものである。
【００１０】
まず、構成を説明すると、図１、図２に示すように、車両前部にはラジエータコアサポート部材１５が設けられている。このラジエータコアサポート部材１５は、通常、最も簡便な前後方向の型抜きによって製造されるため、前後方向に開いた形状をしている。
【００１１】
そして、ラジエータコアサポート部材１５の側部（一側部または左右両側部）に、ヘッドランプの下部やフェンダーをボルトやナットなどの締結具で固定するためのランプ支持部１８を一体形成する。
【００１２】
この実施例のものでは、図３、図４に示すように、ランプ支持部１８を、下面が開口し（開口部１９）、上面２０側へ向けて凸形状となる凸形状部２１とする。そのために、ランプ支持部１８の成形には、上下方向に型抜きを行うスライド金型を使用するようにする。
【００１３】
そして、図４、図５に示すように、凸形状部２１の下面の開口（開口部１９）に、上端が開口（開口部２３）された凹形状の容器状物２４を溶着する。なお、凸形状部２１の下面の開口部１９と容器状物２４の開口部２３とは、その縁部２５，２６どうしを当接した状態で溶着して閉空間２７を形成する。
【００１４】
更に、図３、図４に示すように、凸形状部２１の内側に、リブ２８を設ける。このリブ２８は、上下方向に型抜きを行うスライド金型を使用している関係上、上下方向に向いたものとなる。なお、リブ２８の設置本数や設置間隔などは任意とすることができる。
【００１５】
加えて、図１、図６、図７に示すように、凸形状部２１の上面２０とラジエータコアサポート部材１５の上面３０との間に、両者間を連通するダクト部３１を一体形成する。即ち、凸形状部２１の上面２０とラジエータコアサポート部材１５の上面３０との間に、それぞれ、開口３２，３３を形成し、この開口３２，３３をダクト部３１で連通する。そのために、ダクト部３１の成形には、上下方向に型抜きを行うスライド金型を使用するようにする。
【００１６】
上記容器状物２４は、ウォッシャータンクや、エンジンの吸気騒音を低減するレゾネーターとして利用することが可能である。なお、ウォッシャータンクとして使用する場合には、容器状物２４にポンプ（ウォッシャーポンプ）を取付けられるようにする。また、レゾネーターとして使用する場合には、図６に示すように、容器状物２４の側面に開口３５を設けて閉空間２７を大気に開放すると共に、ラジエータコアサポート部材１５の上面３０の開口３３をエアクリーナと連結する。但し、ウォッシャータンクとして使用する場合には、開口３５は不要である。更に、ラジエータコアサポート部材１５一側部の凸形状部２１のみに容器状物２４を設ける場合には、容器状物２４はウォッシャータンクかレゾネーターかのどちらか一方とし、ラジエータコアサポート部材１５の左右両側部の凸形状部２１に容器状物２４を設ける場合には、一方の容器状物２４をウォッシャータンクとし、他方の容器状物２４をレゾネーターとすることができる。
【００１７】
次に、この実施例の作用について説明する。
【００１８】
凸形状部２１に取付けた容器状物２４は、ラジエータコアサポート部材１５の上面３０の開口３３を注入口とし、ダクト部３１をインレットとすることにより、凸形状部２１と容器状物２４との間に形成される閉空間２７をウォッシャータンクとして使用することが可能となる。この際、容器状物２４にはポンプ（ウォッシャーポンプ）を取付ける。
【００１９】
また、凸形状部２１に取付けた容器状物２４は、容器状物２４の側面に開口３５を設けて閉空間２７を大気に開放すると共に、ラジエータコアサポート部材１５の上面３０の開口３３をエアクリーナと連結することにより、エンジンの吸気騒音を低減するレゾネーターとして使用することが可能となる。この際、容器状物２４は、レゾネーターに必要な容量となるように設定する。このレゾネーターは、熱交換器以外の場所から吸気できるので、エンジンが熱気を吸うことを防止できるという利点がある。
【００２０】
この実施例では、ラジエータコアサポート部材１５の側部にランプ支持部１８を一体形成し、ランプ支持部１８を、下面が開口（開口部１９）し上面２０側へ向けて凸形状となる凸形状部２１とすると共に、凸形状部２１の下面の開口部１９に、上端が開口（開口部２３）された容器状物２４を溶着したことにより、容器状物２４をウォッシャータンクや、エンジンの吸気騒音を低減するレゾネーターとして利用することが可能となる。その結果、別部品でウォッシャータンクやレゾネーターを用意する必要をなくすことができると共に、これらの取付けの手間や時間などを削減することが可能となる。
【００２１】
また、凸形状部２１の内側にリブ２８を設けたことにより、ランプ支持部１８およびラジエータコアサポート部材１５を、高剛性且つ軽量なものとすることができる。また、容器状物２４をウォッシャータンクとして利用する場合には、リブ２８の存在によって、空気溜まりや、凍結時の逃げ空間としての機能を持たせることができる。
【００２２】
更に、凸形状部２１の上面２０とラジエータコアサポート部材１５の上面３０との間に、両者間を連通するダクト部３１を一体形成したことにより、別部品でダクトを用意する必要をなくすことができると共に、別部品のダクトを取付ける手間や時間などをなくすことが可能となる。また、このダクトにより、ランプ支持部１８およびラジエータコアサポート部材１５を、高剛性且つ軽量なものとすることができる。
【００２３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２４】
【図１】本発明の実施例の斜視図である。
【図２】図１の部分拡大平面図である。
【図３】図１の凸形状部を斜め下方から見た斜視図である。
【図４】図１のＡ−Ａ方向の断面図である。
【図５】図１の凸形状部と容器状物とを分解した斜視図である。
【図６】図１のＢ−Ｂ方向の断面図である。
【図７】図１のＣ−Ｃ方向の断面図である。
【図８】従来例の斜視図である。
【符号の説明】
【００２５】
１５  ラジエータコアサポート部材
１８  ランプ支持部
１９  開口部
２０  上面
２１  凸形状部
２３  開口部
２４  容器状物
２８  リブ
３０  上面
３１  ダクト部
【図１】
2005297874.tif 000003
【図２】
2005297874.tif 000004
【図３】
2005297874.tif 000005
【図４】
2005297874.tif 000006
【図５】
2005297874.tif 000007
【図６】
2005297874.tif 000008
【図７】
2005297874.tif 000009
【図８】
2005297874.tif 000010